(57)【要約】      （修正有）【課題】ＡＴＭを利用した振込め詐欺の犯罪を抑止するためにＡＴＭの近傍の一定範囲内の移動電話機による通話を遮断し、当該通話が遮断されたことを移動電話機に対して通知する技術を提供する。【解決手段】携帯電話機４０がＡＴＭの近傍に設置された無線中継装置５０を介して移動通信交換局６０に位置登録処理して帰属すると、以降当該携帯電話機４０からの着信応答信号、発信信号、音声信号の電界強度レベルを測定し、当該携帯電話機４０が使用禁止エリア内にあるかどうか判断することにより、当該信号を中継しないことで通話を遮断する。さらに、携帯電話機４０が通話中に電界強度レベルが閾値より強くなった場合、すなわち当該携帯電話機４０が使用禁止エリア２００内に進入した場合、当該通話を利用して遮断されたことを音声アラームで通知または、発信信号を受けると疑似的に呼接続し、当該通話を利用して遮断されたこと音声アラームで通知する。【選択図】図１
2012161040.tif 000002
【特許請求の範囲】
【請求項１】
携帯電話機とネットワークとの間で通信データを中継する無線中継装置であって、
自無線中継装置が中継している携帯電話機から到達する電界強度を監視する電界強度監視手段と、
前記携帯電話機とネットワークとの間の通信データの中継を停止または再開する中継停止再開手段と、を有し、
前記中継停止再開手段は、前記電界強度監視手段が監視している前記携帯電話機から到達する電界強度のレベルが予め定められた閾値以上となった場合に、前記携帯電話機とネットワークとの間の通信データの中継を停止し、前記電界強度監視手段が監視している前記携帯電話機から到達する電界強度のレベルが前記予め定められた閾値未満となった場合に、前記携帯電話機とネットワークとの間の通信データの中継を再開することを特徴とする電界強度に応じて通信制御する無線中継装置。
【請求項２】
請求項１に記載の無線中継装置であって、
自無線中継装置が中継している携帯電話機へ予め定められた所定のメッセージを送信するメッセージ送信手段をさらに有し、
前記電界強度監視手段が監視している前記携帯電話機から到達する電界強度のレベルが予め定められた閾値以上となって、前記中継停止再開手段が前記携帯電話機とネットワークとの間の通信データの中継を停止した場合に、前記メッセージ送信手段は前記携帯電話機が存在している場所の周辺は携帯電話機の使用が禁止または制限されている区域である旨のメッセージを音声またはデータで通知することを特徴とする電界強度に応じて通信制御する無線中継装置。
【発明の詳細な説明】
【技術分野】
【０００１】
本発明は、現金自動預払機（以下、ＡＴＭと呼称）等の自動取引装置の近傍において、携帯電話の通信を抑止する無線制御装置の技術に関する。
【背景技術】
【０００２】
近年、携帯電話を用いて現金の引き出しや預け入れを行うＡＴＭ（Ａｕｔｏｍａｔｉｃ  Ｔｅｌｌｅｒ  Ｍａｃｈｉｎｅ）を利用した振込め詐欺が社会問題となっている。振込め詐欺とは、近親者の情愛につけ込み、不正な金銭を振り込ませるきわめて卑劣な犯罪である。特にＡＴＭの設置場所において、移動電話機を利用し振込み先を誘導して被害者に不正の振込みをさせる振込詐欺が増加している。
【０００３】
このような振込め詐欺を防止するための対策の一つとして、例えば、特許文献１のような技術がある。特許文献１にはＡＴＭの設置場所に一定の範囲に妨害電波を発信する通信装置を設置し、ＡＴＭの操作をしながら、移動電話機の利用を抑止する技術が展開されている。
【先行技術文献】
【特許文献】
【０００４】
【特許文献１】特開平１０−２１０５６０号公報
【発明の概要】
【発明が解決しようとする課題】
【０００５】
しかし、特許文献１の技術では、妨害電波を出し、使用禁止するエリアを生成した場合、本来、使用を制限しなくてもよいエリアまで妨害電波が届いてしまうことにより、関係のない携帯電話に対しても使用できなくしてしまう問題があり、また、電波を検知し警告音や可視表示により使用を控えるように警告するだけの場合は、故意に携帯電話を使用することが可能であるため完全には制限できない。
【０００６】
本発明は上記課題に鑑み為されたものであり、本発明の目的は、ＡＴＭの近傍の一定範囲内の携帯電話機による通話を遮断すると共に、当該通話を遮断された携帯電話機に対して、通話を遮断した理由等を通知できる技術を提供することにある。
【課題を解決するための手段】
【０００７】
上記課題を解決するため、本発明は携帯電話機とネットワークとの間で通信データを中継する無線中継装置であって、自中継装置が中継している携帯電話機から到達する電界強度を監視する電界強度監視手段と、前記携帯電話機とネットワークとの間の通信データの中継を停止または再開する中継停止再開手段とを有し、前記中継停止再開手段は、前記電界強度監視手段が監視している前記携帯電話機から到達する電界強度のレベルが予め定められた閾値以上となった場合に、前記携帯電話機とネットワークとの間の通信データの中継を停止し、前記電界強度監視手段が監視している前記携帯電話機から到達する電界強度のレベルが前記予め定められた閾値未満となった場合に、前記携帯電話機とネットワークとの間の通信データの中継を再開することを特徴とする。
【発明の効果】
【０００８】
本発明によれば、使用を制限したいエリアに無線中継装置を設置し、当該無線中継装置に帰属した携帯電話からの呼制御信号ならびに通話中の音声信号の電界強度を測定し、一定レベル以上になった場合の中継を行わないようにすることで、他の無線通信機器に悪影響を与えることなく、一定のエリアのみの通話を遮断することができる。
【図面の簡単な説明】
【０００９】
【図１】本発明の一実施の形態における全体構成図である。
【図２】携帯電話機が無線中継装置の通信可能エリアに移動し、相手端末に発信して通話中に通信禁止エリアに移動した場合の動作シーケンス図である。
【図３】無線中継装置の通信禁止エリアに移動した携帯電話機が、相手端末に発信した場合および相手端末から着信があった場合の動作シーケンス図である。
【図４】図１の無線中継装置の機能ブロック図である。
【図５】図１の無線中継装置の動作フロー図である。
【発明を実施するための形態】
【００１０】
以下、本発明の一実施の形態について図面を参照しながら説明する。尚、実質同一部位には、同じ参照番号を振り、説明は繰り返さない。
【００１１】
図１は、本発明の一実施の形態における全体構成図である。
【００１２】
本発明の全体構成は、公衆ネットワーク／携帯電話網１０、携帯電話基地局２０、相手端末３０、携帯電話機４０、本発明の対象である無線中継装置５０、移動通信交換局６０とから構成される。
【００１３】
公衆ネットワーク／携帯電話網１０は、イーサネット（登録商標）ケーブル等でインターネット等の公衆ネットワーク１０および移動通信交換局６０および携帯電話基地局２０によって携帯電話を相互間通信を可能にする携帯電話網である。ここで移動通信交換局６０は、ＨＬＲ（Ｈｏｍｅ  Ｌｏｃａｔｉｏｎ  Ｒｅｇｉｓｔｅｒ）および加入者交換機、無線ネットワーク制御装置の機能を具備する交換局であり、携帯電話サービスを提供するために携帯電話基地局２０と連動して携帯電話機４０の呼接続を制御する。また、携帯電話機４０は３Ｇに対応した汎用の携帯電話を想定し、無線中継装置５０はフェムトセルのようなインターネットを介して携帯電話網に接続する小型基地局を想定している。
【００１４】
携帯電話機４０が無線中継装置５０の通信圏内である使用可能エリア１００内に移動すると、無線中継装置５０は、携帯電話機４０からの位置登録要求を受信し、当該携帯電話機４０の位置登録処理を行い、以降の携帯電話機４０と移動通信交換局６０との間の通話に係る呼制御および音声信号を中継する。
【００１５】
携帯電話機４０が使用禁止エリア２００に移動すると、無線中継装置５０は当該携帯電話機４０からの呼制御および音声信号を中継を停止し、携帯電話機４０のユーザに対して、携帯電話機が存在している場所の周辺は携帯電話機の使用が禁止または制限されている区域である旨または振込め詐欺の可能性がある旨のメッセージ（以下、接続不可メッセージと呼称）を通知する。
【００１６】
本実施例では、接続不可メッセージを音声データとして説明するが接続不可メッセージは、文字データであってもよい。その際、携帯電話機４０の電子メールアドレスを抽出してメールにて通知してもよいし、電話番号を抽出してショートメールで通知してもよい。
【００１７】
次に図２、図３のシーケンス図を用いて無線中継装置５０の具体的な動作について説明する。
【００１８】
図２は、携帯電話機４０が無線中継装置５０の使用可能エリア１００に移動し、相手端末３０に発信した場合および通話中に使用禁止エリア２００に移動した場合の動作シーケンス図である。
【００１９】
まず、携帯電話機４０は、自装置が無線中継装置５０の使用可能エリア１００へ移動すると、無線中継装置５０の通信圏内と判定し（Ｓ２０１）、無線中継装置５０に位置登録要求を送出する（Ｓ２０２）。無線中継装置５０は、移動通信交換局６０に位置登録要求を中継する。位置登録要求を受信した移動通信交換局６０は当該携帯電話機４０の位置登録処理を行う（Ｓ２０３）。
【００２０】
位置登録処理が完了した携帯電話機４０が相手端末３０に発信すると、無線中継装置５０に発信信号を送出する（Ｓ２０４）。発信信号を受信した無線中継装置５０は、発信信号の電界強度を測定し、測定した電界強度が予め定められた値（以下所定値）以上かどうか判定する（Ｓ２０５）。測定した電界強度が予め定められた値以下と判定した場合、移動通信交換局６０に対して発信信号を中継する（Ｓ２０６）。その後、呼接続処理を行い（Ｓ２０７）、相手端末３０と通話状態となる（Ｓ２０８）。
【００２１】
携帯電話機４０は、自装置が相手端末３０と通話中に使用禁止エリア２００に移動し、受信した音声データ（Ｓ２０９）を測定し、電界強度が予め定められた値（以下所定値）以上と判定（Ｓ２１０）すると、無線中継装置５０は通話のための音声データの中継を停止する（Ｓ２１１）。また同時に、携帯電話機４０に対し接続不可メッセージを送信し聴取させる（Ｓ２１２）。
【００２２】
その後、移動通信交換局６０に対して切断信号を送信（Ｓ２１５）後、相手端末３０との切断処理を実行し（Ｓ２１６）、さらに携帯電話機４０に対しても終話信号を送信（Ｓ２１３）後、終話処理を実行して（Ｓ２１４）通話を終了する。
【００２３】
尚、ここで切断処理とは、本来、携帯電話機４が切断操作して、移動通信交換局６０に切断信号を送出して、通話を終了する場合の処理を意味し、本発明では無線中継装置５０が携帯電話機４０の代わりに切断信号を送出して通話を終了する。同様に、終話処理とは、本来、通話中に相手端末が切断し、移動通信交換局６０から携帯電話機４０に終話信号を送出して、通話を終了する場合の処理を意味し、本発明では無線中継装置５０が移動通信交換局６０の代わりに終話信号および話中音を送出して、携帯電話機４０の切断操作で通話を終了する。
【００２４】
図３は、無線中継装置５０の使用禁止エリア２００に移動した携帯電話機４０が、相手端末３０に発信した場合および相手端末３０から着信があった場合の動作シーケンス図である。
【００２５】
無線中継装置５０の使用禁止エリア２００に移動した携帯電話機４０が相手端末３０に発信すると、携帯電話機４０は無線中継装置５０に発信信号を送出する（Ｓ３０１）。発信信号を受信した無線中継装置５０は、発信信号の電界強度を測定し、測定した電界強度が予め定められた値（以下所定値）以上かどうか判定する。測定した電界強度が予め定められた値以上と判定した場合（Ｓ３０２）、無線中継装置５０は移動通信交換局６０に対するデータ中継を停止する（Ｓ３０３）。また、無線中継装置５０は、携帯電話機４０と無線中継装置５０の間で疑似的な呼接続を行い（以下、疑似呼接続処理）を行い（Ｓ３０４）、携帯電話機４０に対し接続不可メッセージを送信し聴取させる（Ｓ３０５）。
【００２６】
接続不可メッセージを送出すると、無線中継装置５０は、携帯電話機４０に対して終話信号を送信し（Ｓ３０６）、携帯電話機４０と無線中継装置５０の間で終話処理を行う（Ｓ３０７）。
【００２７】
次に、相手端末３０から携帯電話機４０に発信した場合（Ｓ３０８）、着信信号を検出した携帯電話機４０は着信鳴動する（Ｓ３０９）。携帯電話機４０のユーザが応答操作をすると、携帯電話機４０は、移動通信交換局６０に携帯電話機４０のユーザが着信信号に応答したことを意味する着信応答信号を送出する（Ｓ３１０）。着信応答信号を受信した無線中継装置５０は、着信応答信号の電界強度を測定し、測定した電界強度が予め定められた値（以下所定値）以上かどうか判定する。測定した電界強度が予め定められた値以上と判定した場合（Ｓ３１１）、無線中継装置５０は移動通信交換局６０に対するデータ中継を停止する（Ｓ３１２）。また、無線中継装置５０は、移動通信交換局６０に対し切断信号を送信し（Ｓ３１３）、相手端末３０と切断処理を実行する（Ｓ３１４）。
【００２８】
切断処理を実行すると、無線中継装置５０は、携帯電話機４０と無線中継装置５０の間で疑似呼接続処理を行い（Ｓ３１５）、携帯電話機４０に対し接続不可メッセージを送信し聴取させる（Ｓ３１６）。さらに携帯電話機４０に対しても終話信号を送信し（Ｓ３１７）、終話処理を行う（Ｓ３１８）。
【００２９】
図４は、図１の無線中継装置５０の機能ブロック図である。
【００３０】
無線中継装置５０は、ネットワーク通信部５０１、無線通信部５０２、データ中継部５０３、無線信号検知・解析部５０４、中継制御部５０５、電界強度測定部５０６、電界強度レベル記憶部５０７、信号中継停止指示部５０８、切断制御部５０９、疑似呼制御部５１０、接続不可メッセージ送出部５１１、とから構成される。
【００３１】
ネットワーク通信部５０１は、インターネット等の携帯電話網に接続している公衆ネットワーク１０に接続するための通信インターフェースであって、これらに接続するための通信処理全般の通信を制御する。
【００３２】
無線通信部５０２は、携帯電話機４０と無線接続するための通信インターフェースであって、携帯電話機４０と接続して無線通信全般を制御する。
【００３３】
データ中継部５０３は、携帯電話機４０からの音声信号および相手からの音声信号、その他信号の中継を行う。また、信号中継停止指示部５０８からの指示に応じて中継を停止する。
【００３４】
無線信号検知・解析部５０４は、データ中継部５０３を中継するデータを監視し、発信信号または音声信号または着信応答信号を検出すると、中継制御部５０５に対し、これらを受信したことを通知する。
【００３５】
中継制御部５０５は、無線信号検知・解析部５０４が無線信号を検知すると電界強度測定部５０６にて測定した当該無線信号の電界強度レベルと電界強度レベル記憶部５０７に記憶された閾値により、中継するか遮断するかを判断し、信号中継停止指示部５０８にデータ中継停止の指示を行う。また中継制御部５０５は、データ中継停止の指示を行う場合に、無線信号検知・解析部５０４が検知した無線信号に応じて切断制御部５０９、疑似呼制御部５１０または接続不可メッセージ送出部５１１を制御する。
【００３６】
電界強度測定部５０６は、無線通信部５０２にて受信した信号の電界強度を測定し、中継制御部に通知する。
【００３７】
電界強度レベル記憶部５０７は、中継制御部５０５が信号を中継するか遮断するかを判定するための電界強度レベルの閾値を記憶する。
【００３８】
信号中継停止指示部５０８は、中継制御部５０５から指示を受けると、データ中継部５０３に対し、データの中継を停止する。
【００３９】
切断制御部５０９は、中継制御部５０５から指示を受けると、ネットワーク通信部５０１に対し切断信号の送信および切断処理を実行する。
【００４０】
疑似呼制御部５１０は、中継制御部５０５から終話処理の指示を受けると、無線通信部５０２に対し終話信号の送信および終話処理を実行する。また中継制御部５０５から呼接続の指示を受けると、無線通信部５０２に対し携帯電話機４０と無線中継装置５０との間で擬似的な疑似呼接続処理を行う。
【００４１】
接続不可メッセージ送出部５１１は、接続不可メッセージを記憶し、通話路が確立されている場合もしくは疑似呼接続処理によって通話路を確立した場合に携帯電話機４０に対して無線通信部５０２から送信する。
【００４２】
次にフローチャートを用いて無線中継装置５０の動作について説明する。
【００４３】
図５は、無線中継装置５０の動作フロー図である。本フローは無線中継装置５０が公衆ネットワーク／携帯電話網１０を介して移動通信交換局６０に接続し、携帯電話機４０からの位置登録要求ならびに発信信号、着信信号等の無線信号のデータ中継が可能な状態からスタートする。
【００４４】
無線中継装置５０は、携帯電話機４０からの無線信号を受信または、移動通信交換局６０から信号を受信するのを待つ（Ｓ５０１、Ｓ５０２）。携帯電話機４０からの無線信号を受信すると（Ｓ５０１、Ｙｅｓ）、その電界強度を測定し（Ｓ５０３）、電界強度が所定の閾値以上かどうかを判定する（Ｓ５０４）。
【００４５】
電界強度が所定の閾値以上の場合（Ｓ５０４、Ｙｅｓ）、受信した無線信号のデータ解析し（Ｓ５０５）、当該無線信号のデータ種別を判定を行う（Ｓ５０６）。
【００４６】
無線信号のデータ種別が着信応答信号であった場合（Ｓ５０６、着信応答信号）、着信応答信号を含めたデータ中継を停止し（Ｓ５０７）、移動通信交換局６０に対し、着信した呼の切断処理を行う（Ｓ５０８）。その後、携帯電話機４０と無線中継装置５０との間で疑似呼接続処理を行い（Ｓ５０９）、通話状態とする。
【００４７】
そして接続不可メッセージを携帯電話機４０に送信する（Ｓ５１０）。接続不可メッセージの送信が完了すると、携帯電話機４０と無線中継装置５０との間で終話処理を行い（Ｓ５１１）、本フローを終了する。
【００４８】
無線信号のデータ種別が発信信号であった場合（Ｓ５０６、発信信号）、発信信号を含めたデータの中継を停止し（Ｓ５１２）、携帯電話機４０と無線中継装置５０との間で疑似呼接続処理を行い（Ｓ５１３）、通話状態とする。そして接続不可メッセージを携帯電話機４０に送信する（Ｓ５１４）。接続不可メッセージの送信が完了すると、携帯電話機４０と無線中継装置５０との間で終話処理を行い（Ｓ５１５）、本フローを終了する。
【００４９】
無線信号のデータ種別が音声信号であった場合（Ｓ５０６、音声信号）、相手端末３０からの音声信号および携帯電話機４０からの音声信号を含めたデータの中継を停止する（Ｓ５１６）。そして接続不可メッセージを携帯電話機４０に送信する（Ｓ５１７）。接続不可メッセージの送信が完了すると、相手端末３０と無線中継装置５０との間で切断処理を行い（Ｓ５１８）、さらに携帯電話機４０と無線中継装置５０との間で終話処理を行い（Ｓ５１９）、本フローを終了する。
【００５０】
移動通信交換局６０より信号（例えば着信信号）を受信した場合（Ｓ５０２，Ｙｅｓ）、またはステップ５０３で受信した無線信号の電界強度が所定の閾値値以下の場合（Ｓ５０４、Ｎｏ）、または、ステップ５０５で無線信号のデータ種別が、着信応答信号、発信信号、音声信号のいずれでもなかった場合（Ｓ５０６）は当該信号のデータ中継を行い（Ｓ５２０）、本フローを終了する。
【００５１】
以上、本発明について一実施形態を用いて説明した。
【００５２】
本実施例によれば、無線中継装置５０は、無線信号検知・解析部５０４が携帯電話機４０からの発信信号、着信応答信号、音声信号の無線信号を検知し、かつ電界強度測定部５０６が当該無線信号の電界強度が所定値以上の場合にデータ中継部５０３はデータ中継を停止する。
【００５３】
これにより、無線中継装置５０に位置登録処理した携帯電話機４０は使用禁止エリア２００に侵入すると、通話が遮断され、詐欺者から当該携帯電話機４０を守ることができる。
【００５４】
また、本実施例によれば、無線中継装置５０は、データ中継部５０３がデータ中継を停止すると、接続不可メッセージ送出部５１１は、通話を確立中もしくは疑似呼制御部５１０が疑似的に通話を確立して携帯電話機４０宛に接続不可メッセージを送出する。
【００５５】
これにより、携帯電話機４０のユーザは携帯電話機４０が存在している場所使用が禁止区域であるまたは振込め詐欺の可能性があることを知ることができる。
【００５６】
尚、本実施例では、無線中継装置５０は相手端末３０から携帯電話機４０宛の着信信号を検知すると、着信号を携帯電話機４０に中継し、携帯電話機４０の着信応答信号をもって電界強度を測定しているが本願はこれに限定しない。
【００５７】
例えば、携帯電話機４０は無線中継装置５０からの要求に応じて電界強度測定用のテスト信号を送出する機能を具備し、相手端末３０から携帯電話機４０宛の着信信号を検知した無線中継装置５０は着信信号を携帯電話機４０に中継せずにテスト信号送出指示し、相手端末３０からのテスト信号から電界強度を測定するようにしてもよい。これにより、携帯電話機４０の利用者は詐欺と思われる着信に応答しなくてもよいという効果がある。
【００５８】
また、上記で示したテスト信号には、従来、携帯電話機４０の場所を知る位置情報サービスの機能を応用して機能を実現するようにしてもよい。
【００５９】
例えば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）におけるＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ）や、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）におけるＥ−ＯＴＤ（Ｅｎｈａｎｃｅｄ  Ｏｂｓｅｒｖｅｄ  Ｔｉｍｅ  Ｄｉｆｆｅｒｅｎｃｅ）、ＣＤＭＡ（Ｃｏｄｅ  Ｄｉｖｉｓｉｏｎ  Ｍｕｌｔｉｐｌｅ  Ａｃｃｅｓｓ）におけるＡＦＬＴ（Ａｄｖａｎｃｅｄ  Ｆｏｒｗａｒｄ  Ｌｉｎｋ  Ｔｒｉｌａｔｅｒａｔｉｏｎ）の技術を応用し、着信信号を受信した無線中継装置５０からの指示に応じて携帯電話機４０が信号を送出させ、当該信号から電界強度を測定するようにしてもよい。これにより、上記技術に対応する携帯電話機であれば、汎用的な携帯電話機で本発明を実現することができる。
【００６０】
尚、本実施例では、無線中継装置５０はフェムトセルを想定しているが本願はこれに限定しない。
【００６１】
例えば、無線中継装置５０は無線ＬＡＮアクセスポイントであって携帯電話機４０は無線ＬＡＮ端末または無線ＬＡＮ通信機能を搭載した携帯電話端末（デュアル端末）の構成であってもよい。
【００６２】
この場合、無線ＬＡＮ端末またはデュアル端末は定期的に無線アクセスポイントに対して信号を送出するので、当該信号を監視してデータ中継の中継を判定することで、上述したような方法を用いずとも本発明を実現することができる。
【００６３】
尚、本実施例では、無線中継装置５０が１台の場合を説明しているが本願はこれに限定しない。
【００６４】
例えば無線中継装置５０を３台設置し、各無線中継装置５０が連動して３次元測位により携帯電話機４０の位置を特定するようにしてもよい。これにより、ＡＴＭが４台以上設置された銀行において各ＡＴＭ装置に応じて本装置を設置する必要がなくなる。または、細かく使用禁止エリア２００を設定したい場所においても有効である。
【符号の説明】
【００６５】
１０  公衆ネットワーク／携帯電話網
２０  携帯電話基地局
３０  相手端末
４０  携帯電話機
５０  無線中継装置
６０  移動通信交換局
１００  携帯電話機の使用可能エリア
２００  携帯電話機の使用禁止エリア
５０１  ネットワーク通信部
５０２  無線通信部
５０３  データ中継部
５０４  無線信号検知・解析部
５０５  中継制御部
５０６  電解強度測定部
５０７  電解強度レベル記憶部
５０８  信号中継停止指示部
５０９  切断制御部
５１０  疑似呼制御部
５１１  接続不可メッセージ送出部
【図１】
2012161040.tif 000003
【図２】
2012161040.tif 000004
【図３】
2012161040.tif 000005
【図４】
2012161040.tif 000006
【図５】
2012161040.tif 000007